(57)【特許請求の範囲】
【請求項１】
編み目長が異なる、ブックル型の編み目を有する、伝線しないストッキングであって、
前記編み目を構成する編み地の横糸が、ポリアミドの糸とエラスティンの糸の二本の糸からなり、
この横糸と、編み目長が垂直方向に異なる一本の糸からなり、前記横糸を縦方向に繋ぐ縦糸と、によって前記編み目が構成され、
この縦糸の編み目方向の交互に前記編み目長が異なるように構成され、
前記編み目における、前記横糸の前記エラスティンの糸が前記縦糸に直接接触して結びついた繋ぎ目の部分が、前記横糸の前記ポリアミドの糸が前記縦糸に直接接触して結びついた繋ぎ目の部分よりも狭い開きの溝となるように、前記横糸と前記縦糸とが前記編み地を構成してなるストッキング。
【発明の詳細な説明】
【０００１】
【産業上の利用分野】
本発明は、伝染しないストッキングに関するものである。
【０００２】
【従来の技術】
従来、曲線の作る糸の交差、すなわち、編み機の横糸（水平方向の糸）と縦糸（垂直方向の糸）によって編み目を形成する伝統的なシステムがある。編み目を形成するためには、一つの構成要素（針と針板による）だけで充分である。それぞれの編み目は、編み目同士を繋ぐという方法で、次の編み目に結びついている。編み目は、頭あるいは針の環と呼ばれる弓状の上部と、環の足あるいは針板の環と呼ばれる二つの半円と、前記頭と足とを結合する二本の腕あるいは直線によって構成される（図１参照）。
【０００３】
図１は編み目の一つを表し、符号１は針状に形作られた環を示し、符号２は直線を示し、符号４は針板状に形作られた環であり、環４が集まって繋ぎ合わされ符号３で示す部分を形成する。
【０００４】
婦人用ストッキング製造における糸の交差の基本的な型は、均一な編み目である（図２（１）〜（３）参照）。図２（１）〜（３）から、均一な編み目は驚くほど収縮性に富むことが分かる。何故なら、固定されていない繋ぎ目は、糸を外圧に応じてあらゆる方向に自由に移動させることができるからである。
【０００５】
しかしながら、編み目を形成するためのこういったシステムにより得られる収縮性を備えた編み目は、伝線するという重大な欠点を含んでいる。
【０００６】
編み目全体のうちの一つの編み目が破けると、前記システムにより形成されている均一な編み目は固定された編み合わせがないことから、ほつれが垂直方向に継続して繰り返される（図３参照）。
【０００７】
前記交差と呼ばれるものには、その独自の構成により編み目の頭が固定され、伝線する編み目とは相反するものもある。この交差は、その編み目の構成により、ブックル（Boucles）、プラッケ（Plaquees）、トランスポルテ（Transportees）、ジュッテ（Jetees）等と呼ばれる。これらは、どの構成の編み目であっても、伝線する編み目をとめて、編み目のほつれを防ぐ。婦人用靴下製造のなかで最も普及しているのは、ブックル型の編み目によるシステムである。
【０００８】
【発明が解決しようとする課題】
ブックル型の編み目は、市松模様を呈し伝線を防止する。この伝線を防止する理由としては、編み目が一直線ではなく、細分化された道筋となっているため、連続的に継続して糸がほつれることを抑制できるからである。また、図４（１）〜（３）に示すように、編み目長Ｈが異なる編み目を有していると、編み目の継ぎ目上の環に収縮性をもたらすことができる。したがって、編み目の継ぎ目上が狭い溝の開きとなり、これによってこの部分に基本的な摩擦が起こり、糸の動きを制することができる（図４（１）〜（３）参照)。このため、ブックル型の編み目は、高水準の非伝線性を得ることができる。
【０００９】
しかしながら、このブックル型の編み目は、収縮率の低さを呈するという問題がある。また、もうひとつの不都合は、上述の繊維は、均一な編み地に比べると、とても縮れた感じの手触りを呈するということである。
【００１０】
本発明は、このような従来の問題点を解決することを課題とするものであり、収縮性に優れ、手触りが良好で、履き易さが改良された伝線しないストッキングを提供することを目的とする。
【００１１】
【課題を解決するための手段】
この目的を達成するために本発明は、編み目長が異なる、ブックル型の編み目を有する、伝線しないストッキングであって、前記編み目を構成する編み地の横糸が、ポリアミドの糸とエラスティンの糸の二本の糸からなり、この横糸と、編み目長が垂直方向に異なる一本の糸からなり、前記横糸を縦方向に繋ぐ縦糸と、によって前記編み目が構成され、この縦糸の折り目方向の交互に前記編み目長が異なるように構成され、前記編み目における、前記横糸の前記エラスティンの糸が前記縦糸に直接接触して結びついた繋ぎ目の部分が、前記横糸の前記ポリアミドの糸が前記縦糸に直接接触して結びついた繋ぎ目の部分よりも狭い開きの溝となるように、前記横糸と前記縦糸とが前記編み地を構成してなることを特徴とするものである。
【００１２】
【作用】
本願出願人は、現在の技術により従来の伝線しないシステムの研究を深め、私たちは「ランデマイヤーブル ライフ」と呼ばれる編み地の新しい型を開発した。
【００１３】
本発明に係るストッキングは、編み地の横糸が二本の糸から構成されてなるため、従来の一本の横糸から構成される編み目よりも糸の引き締め作用が向上される。したがって、編み目の継ぎ目上がより狭い溝の開きとなり、これによってこの部分に摩擦が起こり、糸の動きが抑制される。この編み目を備えたストッキングは、糸の動きが抑制される他、伸縮性、収縮性、手触り、しなやかさ、履き易さ等、全ての点において優れており、滑らかな編み地と従来の伝線しない編み地が完璧に結合しているものである。
【００１４】
また、前記横糸として、ポリアミドおよびエラスティンを用いることにより、前記作用をより向上することができる。
【００１５】
【実施例】
次に、本発明に係る実施例について、図面を参照して説明する。
【００１６】
「システム ライフ」の編み目の形成は以下のような方法で実現された。従来の伝線しにくいものは、編み地の横糸について一本の糸だけが次々に編み目を形作っているが、「ライフ」については、二本の糸のチェーン（ポリアミドとエラスティン）、技術的にはプラッケ(Plaquees)とよばれるが、その二本で同時に編み目を形成している。この編み目は、特別な化学製品を一切使用することなく、従来靴下やストッキングに使用されていた以外の糸を使用することなく、編みの作用だけで、編み目すなわちジュッテ(Jetees)、と呼ばれる二重の環を作ることができる。
【００１７】
図５（１）および（２）から上述のことがはっきりと確認できるが、エラスティンの締め付け作用により、均一な編み目の口を近づけることになる。したがって、従来の一本の横糸から構成される編み目よりも糸の引き締め作用が向上される。このため、編み目の継ぎ目上がより狭い溝の開きとなり、これによってこの部分に摩擦が起こり、糸の動きが抑制される。この結果、編み目の伝線を阻止することができる。
【００１８】
使用されていない状態での伝線しないライフは、より短く、従来の物より手触りがより濃厚な感じで、よりしなやかである。さらに従来のものに比べて、伸張性と収縮性は周知の特徴を有し、品質、とくに履き易さが改良されている。
【００１９】
図５（１）および（２）に示す黒色の糸１０はエラスティンに、白色の糸１１はポリアミドに相当する。このふたつは、編みによって滑らかな編み目となる。
【００２０】
また、図６は、実際の編み目を２０倍に拡大した顕微鏡写真である。この顕微鏡写真により編み目を見ることができる。エラスティンとポリアミドの先端で編み目の仲介部分が充分に引き締められているのがはっきりと確認される。糸はひし形を形づくる部分までなめらかに編み目方向に下がり、その先端は網の作用をする二番目のポリアミドの環に結びつく。横糸上のひとつあるいは複数の破けは、その摩擦により糸のほつれを防ぎ、伝線が如何なる方向にも広がることがないように別の糸にぶつかることになる。
【００２１】
なお、本明細書における図全て、Ｃ方式によるＭＣ文字で表され、トレメロン方式によるＭＴ文字で表されている。
【００２２】
【発明の効果】
以上説明してきたように、本発明によれば、伝線しないストッキングおよび靴下に穴が開いたとしても、この穴は広がることなく、ストッキングおよび靴下は、ほつれることはない。伝線しないストッキングおよび靴下は穴があいても擦り切れても、ほつれることはないので通常通りに着用できる。
【図面の簡単な説明】
【図１】  従来の編み目の一つを示す図である。
【図２】  従来の編み目を示す図である。
【図３】  従来の編み目が伝線した状態を示す図である。
【図４】  従来のブックル型の編み目を示す図である。
【図５】  本発明に係る編み目を示す図である。
【図６】  本発明に係る編み目の顕微鏡写真である。
【符号の説明】
１ 環
２ 直線（腕）
３ 繋ぎ合わせ部分
４ 張り板の環
１０エラスティン
１１ポリアミド
【図１】
0004216908.tif 000002
【図２】
0004216908.tif 000003
【図３】
0004216908.tif 000004
【図４】
0004216908.tif 000005
【図５】
0004216908.tif 000006
【図６】
0004216908.tif 000007